【手続補正書】
【提出日】平成20年8月4日(2008.8.4)
【手続補正１】
【補正対象書類名】特許請求の範囲
【補正対象項目名】全文
【補正方法】変更
【補正の内容】
【特許請求の範囲】
【請求項１】
加盟店による資金提供がされた、支払いモードに応じて異なるインセンティブを与えるための報酬プログラムのための方法であって、
報酬管理サーバと引換端末と加盟店端末とを含むコンピュータネットワーク手段を介して、消費者を前記報酬プログラム内に登録するステップと、
前記報酬プログラムを提供している加盟店からの購入に対して、消費者から支払いを受けるステップと、
前記消費者によって選択された少なくとも一つの支払いモードに基づいて、報酬インセンティブを決定するステップと、
前記消費者によって選択された一又は複数の支払いモードに従って、複数の異なるレベルの報酬を適用するステップであり、報酬のレベルは各モードにおいて支払いを処理する前記加盟店のコストに関連している、ステップと、
を備えた方法。
【請求項２】
前記支払いが現金ならば第１の報酬インセンティブを適用し、前記支払いが現金以外ならば第２の報酬インセンティブを適用し、
前記第１の報酬インセンティブは前記第２の報酬インセンティブより大きい、請求項１に記載の方法。
【請求項３】
前記第２の報酬インセンティブは、異なる支払いモードに応じた異なる報酬レベルを含んでいる、請求項２に記載の方法。
【請求項４】
前記異なるモードにおける異なる報酬レベルは個人識別番号ベースのカードでは大きく、サインベースのカードでは小さい、請求項３に記載の方法。
【請求項５】
商取引用のインセンティブ処理システムであって、
（ａ）少なくとも一つの顧客口座に関連する情報を記憶可能な少なくとも一つの引換サーバと、
（ｂ）前記引換サーバにネットワークワークを介して接続された複数のＰＯＳ端末と、
（ｃ）前記引換サーバにネットワークを介して接続された複数の引換端末とを備え、
インセンティブは支払い取引に関連して適用され、そこでは異なるレベルの報酬は、前記消費者によって選択された一又はそれ以上の支払いモードに従って適用され、報酬レベルは、各支払いモードにおける支払いを処理する前記加盟店にかかる費用に対応している、システム。
【請求項６】
支払いが現金でされると第１のインセンティブが適用され、支払いに他の支払い手段が用いられると第２インセンティブが適用され、
前記第１の報酬インセンティブは前記第２の報酬インセンティブより大きい、請求項５に記載のシステム。
【請求項７】
前記第２の報酬は、異なる支払いモードにおいて異なる報酬レベルを含んでおり、前記異なるモードにおける異なる報酬レベルは個人識別番号ベースのカードでは大きく、サインベースのカードでは小さい、請求項６に記載のシステム。
【請求項８】
前記インセンティブは少なくとも一つの物理的実体の形を取っており、前記少なくとも一つの物理的実体は、光学的、電子的若しくは磁気的に又はそれらの組合せによって読み取り可能なマークによって識別可能であり、前記マークは前記実体内に、上に又は一部として配置されている、請求項５〜７のいずれかに記載のシステム。
【請求項９】
各ＰＯＳは、前記顧客によって支払い取引が完了すると、前記少なくとも一つの物理的実体を支払うことができる、請求項５〜８のいずれかに記載のシステム。
【請求項１０】
前記インセンティブは、実際のカードと人物識別子と関連づけられた前記少なくとも一つの引換サーバのデータベース内の前記顧客口座に信用づけられている、請求項６〜９のいずれかに記載のシステム。
【請求項１１】
各引換端末は、少なくとも一つの物理実体の形で引換用に提供されたインセンティブを受け取り可能になっている、請求項５〜１０のいずれかに記載のシステム。
【請求項１２】
各引換端末は、前記顧客のアイデンティティをデータ処理手段によって認証するために前記引換サーバに接続されており、各引換端末は、認証時に少なくとも一つの物理的実体を引き換えること、前記少なくとも一つの物理的実体を電気的、磁気的又は物理的にキャンセルすること、前記引換が完了すると前記顧客に前記少なくとも一つの物理的実体を返還すること、のいずれか又は組合せを実行することができる、請求項５〜１１のいずれかに記載のシステム。
【請求項１３】
各引換端末は、前記顧客口座からある量のインセンティブポイントを引換るために前記引換サーバに接続されることが可能である、請求項５〜１２のいずれかに記載のシステム。
【請求項１４】
各引換端末は、データ処理手段によって前記顧客のアイデンティティを認証するために前記引換サーバに接続されることが可能であり、前記引換端末は、認証時に、ポイントを物理的実体に交換可能であり、その逆の交換も可能であり、前記物理的実体は変換テーブルにしたがって予め定められた同等の価値を有しており、前記ポイントは顧客のために前記引換サーバにおけるデータベース内で維持されており、前記引換端末は前記交換の全て又は一部を実行可能である、請求項５〜１３のいずれかに記載のシステム。
【請求項１５】
各引換端末は、特定量のインセンティブをもたらすことで前記顧客に引換オプションをもたらすことが可能であり、前記引換端末によって提供された前記オプションは、前記顧客によって引換られたインセンティブの各種類のための交換能力を有している、請求項５〜１４のいずれかに記載のシステム。
【請求項１６】
各引換端末は、前記顧客から一又は複数の入力機器を介して入力を受け取ることができる、請求項５〜１５のいずれかに記載のシステム。
【請求項１７】
各引換端末は、前記顧客によって引換られたインセンティブを変換テーブルによって予め定められた貨幣単位に変換することができ、前記引換端末は前記貨幣単位を前記引換サーバにおけるデータベースに蓄えられた前記顧客に関連する前記口座内に信用づけることができる、請求項５〜１６のいずれかに記載のシステム。
【請求項１８】
前記引換サーバ及び各ＰＯＳは他の支払いネットワークとインターフェース接続可能であり、前記引換サーバは、調整データベースを介して前記他の支払いネットワークの支払い手段との商取引に応じて発行されたインセンティブを適用できる、請求項５〜１７のいずれかに記載のシステム。
【請求項１９】
前記引換サーバは、前記他の支払いネットワーク内の前記顧客の口座に金を信用づけることができる、請求項５〜１８のいずれかに記載のシステム。
【請求項２０】
前記引換サーバ、前記ＰＯＳ、及び前記引換端末は、リアルタイム・コミュニケーション能力を有しておらず、インセンティブの発行及び引換はバッチデータ処理によってオフライン実行される、請求項５〜１９のいずれかに記載のシステム。
【請求項２１】
前記引換サーバは、前記顧客が前記顧客に関連づけられた口座情報にインターネットを介してアクセできるようにしている、請求項５〜２０のいずれかに記載のシステム。
【請求項２２】
提供されている前記インセンティブは、貯蓄能力がある金利発生型カードであり、前記ＰＯＳは前記顧客に新しい金利発生型カードを発行可能であり、又は前記商取引にしたがって稼がれた前記インセンティブ付きの前記実在する金利発生型カードに保存された情報を更新することができる、請求項５〜２１のいずれかに記載のシステム。
【請求項２３】
前記顧客の現金支払いと他の支払い手段による支払いは、記録され、統合された一つの口座にもたらされる、請求項５〜２２のいずれかに記載のシステム。
【請求項２４】
前記引換サーバは、個人名記録を指定されたシステム管理のみにアクセス可能なユニークな個人識別子にリンクさせ、前記顧客に関連付けられた追加情報は前記顧客の個人識別子のみによってアクセス可能である、請求項５〜２３のいずれかに記載のシステム。
【請求項２５】
前記物理的実体は、様々な形状、寸法、色を有している、請求項５〜２４のいずれかに記載のシステム。